(57)【要約】【課題】  本発明の目的は良好にシリサイドを形成し得る半導体基板であるか否かを検査する半導体基板の検査方法を提供することにある。【解決手段】  電極形成のためのシリサイドが表面に形成される半導体基板に対し、光を照射する照射工程と、照射による反射光の光強度測定を行う測定工程と、測定値および予め保持する閾値を比較し半導体基板の良否判定を行う判定工程と、を備える。これにより、電極形成のためのシリサイドの形成に先立ち、予め半導体基板の良否を検査することができる。【選択図】      図１
2010034251.tif 000002
【特許請求の範囲】
【請求項１】
電極形成のためのシリサイドが表面に形成される半導体基板に対し、光を照射する照射工程と、
照射による反射光の光強度測定を行う測定工程と、
測定値および予め保持する閾値を比較し前記半導体基板の良否判定を行う判定工程と、を備えることを特徴とする半導体基板の検査方法。
【請求項２】
前記照射工程において、前記半導体基板の表面全面に渡って光を照射することを特徴とする請求項１記載の半導体基板の検査方法。
【請求項３】
前記測定工程において、紫外線を含む反射光の光強度を検出することを特徴とする請求項１記載の半導体基板の検査方法。
【請求項４】
前記照射工程において、前記半導体基板に対し２５ｍＷ／ｃｍ２の光強度で光を照射したとき、
前記判定工程において、前記閾値は０．６ｍＷ／ｃｍ２であり、
前記測定値が０．６ｍＷ／ｃｍ２以下のとき、良しと判断することを特徴とする請求項１および３記載の半導体基板の検査方法。
【請求項５】
前記シリサイドは、Ｎｉメッキを施して電極形成するためのものであることを特徴とする請求項１記載の半導体基板の検査方法。
【請求項６】
電極形成のためのシリサイドが表面に形成される半導体基板に対し、光を照射する照射部と、
照射による反射光の光強度測定を行う測定部と、
測定値および予め保持する閾値を比較し前記半導体基板の良否判定を行う判定部と、を備えることを特徴とする半導体基板の検査装置。
【請求項７】
前記照射部は、前記半導体基板の表面全面に渡って光を照射することを特徴とする請求項６記載の半導体基板の検査装置。
【請求項８】
前記測定部は、紫外線を含む反射光の光強度を検出することを特徴とする請求項６および請求項７記載の半導体基板の検査装置。
【請求項９】
前記照射部は、前記半導体基板に対し２５ｍＷ／ｃｍ２の光強度で光を照射するとき、
前記判定部は、前記測定値が０．６ｍＷ／ｃｍ２以下のとき、良しと判定することを特徴とする請求項６および８記載の半導体基板の検査装置。
【請求項１０】
前記シリサイドは、Ｎｉメッキを施して電極形成するためのものであることを特徴とする請求項６記載の半導体基板の検査装置。
【請求項１１】
請求項８および請求項１０記載の半導体基板の検査装置による検査結果に基づいて、半導体基板の選別を行う選別部を備えたことを特徴とする半導体基板の選別システム。
【発明の詳細な説明】
【技術分野】
【０００１】
本発明は、導体基板の検査方法に関するものであり、特に電極形成のためのシリサイドが良好に形成され得る半導体基板であるか否かを検査する検査方法であり、更に当該半導体基板の検査方法を用いた半導体基板の検査装置および半導体基板の選別システムに関するものである。
【背景技術】
【０００２】
半導体基板の表面に例えば電極を形成するためのメッキ処理が施されている。このメッキは、例えばＮｉメッキであり、該Ｎｉメッキおよび半導体基板間にはシリサイドが介在している。シリサイドはＮｉメッキおよび半導体基板間の剥離強度に関係しており、一般的にはシリサイドの層厚が剥離強度との関係において重要となる。
【０００３】
発明者は、シリサイドの成長は半導体基板の表面の粗さに応じて成長するのではないかと考えていた。それは、半導体基板の表面をアルミナ等を用いてブラストすることで半導体基板の表面を荒らした場合、特にシリサイドが良好に成長ですることを経験により把握していたからである。
【０００４】
ところで、ブラストを用いること無くシリサイドを良好に形成できないか求められている。そこで発明者は、表面が荒れている半導体基板ほど、良好にシリサイドが形成されるのではないかと考え、各社から販売されている半導体基板の表面の荒れを測定し、測定値の値に応じてシリサイドの成長が確認できるのでは無いかと思い実験を行った。しかし、発明者の思惑に沿うこと無く、半導体基板の表面荒れを示す測定値に応じてシリサイドが成長しないことが実験で確認された。
【０００５】
ところで、半導体基板を検査する装置が例えば特許文献１に開示されている。当該特許文献１によれば、照明光を照射し、その散乱光を目視観察することで半導体基板のピンホールや基板表面に付着したゴミ等の有無を検出することを開示している。
【０００６】
また、特許文献２には、半導体基板上に形成したフォトマスクの形成状態を検査するために透過光および反射光の光強度（照度）を用いて検査することを開示している。
【特許文献１】特開２００２−０７１５７１
【特許文献２】特開２００１−１８３８１２
【発明の開示】
【発明が解決しようとする課題】
【０００７】
前記した各特許文献には、光を用いてピンホールや半導体基板上に形成するフォトマスクを検査する方法が開示されているものの、良好なシリサイドが形成され得る半導体基板であるか否かを、シリサイドの形成に先立ち検査するためのものではない。
【０００８】
従って本発明は、前記した課題に鑑みて成されたものであり、本発明の目的は良好にシリサイドを形成し得る半導体基板であるか否かを検査する半導体基板の検査方法を提供することにある。
更に本発明の他の目的は、良好にシリサイドを形成し得る半導体基板の検査装置および半導体基板の選別装置を提供することにある。
【課題を解決するための手段】
【０００９】
本発明は、前記した課題に目的を達成すべく、電極形成のためのシリサイドが表面に形成される半導体基板に対し、光を照射する照射工程と、照射による反射光の光強度測定を行う測定工程と、測定値および予め保持する閾値を比較し半導体基板の良否判定を行う判定工程と、を備えることを特徴とする。
【００１０】
照射工程において、半導体基板の表面全面に渡って光を照射してもよい。
測定工程において、紫外線を含む反射光の光強度を検出してもよい。
【００１１】
照射工程において、半導体基板に対し２５ｍＷ／ｃｍ２の光強度で光を照射したとき、判定工程において、測定値が０．６ｍＷ／ｃｍ２以下のとき、良しと判定するようにしてもよい。
シリサイドは、Ｎｉメッキを施して電極形成するためのものであることを特徴とする。
【００１２】
電極形成のためのシリサイドが表面に形成される半導体基板に対し、光を照射する照射部と、照射による反射光の光強度測定を行う測定部と、測定値および予め保持する閾値を比較し前記半導体基板の良否判定を行う判定部と、を備えることを特徴とする。
【００１３】
照射部は、半導体基板の表面全面に渡って光を照射してもよい。
測定部は、紫外線を含む反射光の光強度を検出してもよい。
【００１４】
照射部は、半導体基板に対し２５ｍＷ／ｃｍ２の光強度で光を照射するとき、判定部は、測定値が０．６ｍＷ／ｃｍ２以下のとき、良しと判定するようにしてもよい。
シリサイドは、Ｎｉメッキを施して電極形成するためのものであることを特徴とする。
【００１５】
半導体基板の検査装置による検査結果に基づいて、半導体基板の選別を行う選別部を備えてもよい。
【発明の効果】
【００１６】
本発明によれば、電極形成のためのシリサイドが表面に形成される半導体基板に対し、光を照射し、その反射光の光強度の測定値と、予め保持する閾値とを比較し、半導体基板の良否判定を行う。これにより、本発明によれば電極形成のためのシリサイドの形成に先立ち、予め半導体基板の良否を検査することができる。
【発明を実施するための最良の形態】
【００１７】
以下、図面を用いて、本発明の実施形態を詳細に説明するが、以下の説明では、実施の形態に用いる図面について同一の構成要素は同一の符号を付し、かつ重複する説明は可能な限り省略する。
【実施例１】
【００１８】
本発明の半導体基板の検査方法は、検体としての半導体ウェハの表面にシリサイドが良好に形成され得るか否か、シリサイドの形成に先立ち半導体ウェハの検査を行う方法である。尚、シリサイドは、半導体ウェハ（半導体基板）の表面上に良好に電極を形成するためのＮｉメッキ処理によって形成されるものであり、シリサイドの層厚が所定の厚さ寸法以上に形成される場合に、良好なシリサイドであると判断される。
【００１９】
尚、良好なシリサイドが形成されて成るＮｉメッキ上には半田層が形成され、これらによって電極が形成される。
【００２０】
以下、本発明を詳細に述べる。
本発明の半導体基板の検査方法は、図１に示すフローチャートに示すように、照射工程と、測定工程と、判定工程とから成り、該各工程がこの順番に行われる。
【００２１】
照射工程では、先ず検体である半導体基板（半導体ウェハ）を用意する（ステップＳ１）。
用意する半導体ウェハを人的に視覚検査した場合、特に欠陥等は認められない。また検体である半導体ウェハを複数視覚検査した場合では、各半導体ウェハ間の差異を認めることはできない。すなわち、検体である半導体ウェハは、半導体ウェハ製造メーカにおいて所定の仕様に基づいて製造されたものであり、同一規格の製品として入荷されたものである。
【００２２】
用意した半導体ウェハは、図２の模式図に示すように検査ステージ上の所定の位置に配置される。検査ステージの脇には照明装置が設けられており、当該照明装置から半導体ウェハに光が照射される（ステップＳ２）。
【００２３】
照射光は、ハロゲンランプによるものであり、特定の波長に限った光では無く、例えば可視光線領域や紫外線領域などの波長を含む光である。このような光を照明装置は、２５ｍＷ／ｃｍ２の光エネルギー（光強度）で半導体ウェハに対し照射する。
【００２４】
半導体ウェハと照明装置との位置関係は、照射光が半導体ウェハに対し６０度の投光角を有するように設定されており、また半導体ウェハの表面全体が照射されるように、照明装置と半導体ウェハ（検査ステージ）の離間距離が設定されている。尚、当該実施例では、１０ｃｍの離間距離が設定されている。
【００２５】
ところで、照明装置と半導体ウェハ（検査ステージ）を介して対峙する位置、すなわち半導体ウェハに対し６０度の受光角を有する位置には、光強度測定装置が設けられており、半導体ウェハ（検査ステージ）と１０ｃｍの離間距離を有するように配置されている。
【００２６】
光強度測定装置は従来から知られた紫外線測定装置と称されているものであり、例えばウシオ電機株式会社製のユニメータ（ＵＮＩ  ＭＥＲＥＲＥ  ＵＩＴ−１０１）などを用いて実現することができる。この光強度測定装置は、紫外線領域の波長を検出でき、その感度波長域の中心を４８０ｎｍとして（光強度測定装置における表示が４８０ｎｍ）、反射光の光エネルギー（ｍＷ／ｃｍ２）を光強度として測定する（ステップＳ３）。
【００２７】
そして測定した光強度と所定の閾値とを比較し、検体である半導体ウェハの良否判定を行う（ステップＳ４）。
本実施例では、閾値として０．６ｍＷ／ｃｍ２が設定されており、０．６ｍＷ／ｃｍ２以下のとき、良しと判断する。
【００２８】
これにより、本発明によれば、電極形成のためのＮｉシリサイドの形成に先立ち、予め半導体ウェハの良否を検査することができる。
【００２９】
ここで、本発明の半導体基板の検査方法を見出した実験について説明する。
この実験では、半導体ウェハの表面の粗さ状態に関係なく、半導体ウェハに照射する光の反射光の光強度に基づいて半導体ウェハを選別できること、すなわち光強度に基づく選別により電極形成のためのシリサイドを良好に形成し得る半導体ウェハであるか否か選別し得ることを実験で確認した。
【００３０】
実験には、製造メーカの異なる複数の半導体ウェハが用意されている。各半導体ウェハの表面粗さは、異なっており表面粗さ計によって測定した結果やその表面状態を示す写真が図３に示されている。
【００３１】
図３に示す内容から明らかなように、表面粗さ計によって得た測定結果と表面状態の写真とが一義的に因果関係があるとは言切れない。つまり、表面粗さ計による粗さ（ラフネス）を示す値と、写真の粗さ状態とは必ずしも一致しない。
【００３２】
より詳細には、表面粗さ計による計測結果によれば、表面が粗いと判断されるような半導体ウェハであっても、その表面状態を示す写真は比較的滑らかな状態を示していることもあり、またその逆の場合もある。これについて、発明者は表面粗さ計のサンプリング間隔と半導体ウェハの表面の粗さ間隔とが起因しているのではないかと考えている。
【００３３】
ところで、図３に示す４種類の半導体ウェハは、左から順に検体１、検体２、検体３および検体４とする。
【００３４】
第１検体は、ある会社で製造された半導体ウェハであり、その半導体ウェハに対しアルミナを用いたブラスト処理を行い、洗浄処理を施して得たものである。この検体１の半導体ウェハ１に後述するメッキ処理を施した場合、所望の層厚を有する良好なＮｉシリサイドが形成され得ることは、既に確認されている。
【００３５】
図３に示す半導体ウェハにおいて、検体２はＡ社の半導体ウェハであり、検体３はＢ社の半導体ウェハおよび検体４はＣ社の半導体ウェハであり、検体１から検体４の各半導体ウェハにおける電気的な特性については、ほぼ同じである。
【００３６】
各検体に対し、以降述べる処理をそれぞれ行う。
先ず、検体である半導体ウェハが検査ステージ上に載置される。そして、検査ステージの脇に配置された照明装置から半導体ウェハに対し６０度の照射角を有するように光を照射する。このとき、照射光は２５ｍＷ／ｃｍ２の光エネルギー（光強度）である。
【００３７】
そして検査ステージを介して照明装置と対峙する位置に配置された光強度測定装置によって半導体ウェハからの反射光の光強度を測定する。これを全ての検体について行った結果が図４に示す表に纏められている。
【００３８】
その後、光強度を測定し終わった各検体（半導体ウェハ）にシリサイドを形成し、その層厚を測定する。
【００３９】
ここで、シリサイドについて説明する。
シリサイドは、電極の形成において施されるＮｉメッキの形成工程中において形成される。
【００４０】
具体的にはＮｉメッキは１次メッキおよび２次メッキを経て形成されるが、１次メッキ後に行う焼鈍処理により、半導体ウェハとＮｉメッキとの界面においてシリサイド（Ｎｉシリサイド）が形成される。
【００４１】
ここで、Ｎｉメッキの形成工程を詳細に説明する。
Ｎｉメッキの形成は、先ず半導体ウェハに対しフッ化水素等を用いた前処理を行う。その後、前処理を施した半導体ウェハをＮｉを用いたメッキ液に所定の時間浸漬する。Ｎｉメッキ液から取出した半導体ウェハは約６００℃で焼鈍され、Ｎｉメッキ層の焼き締めが施される。このとき、半導体ウェハとＮｉメッキとの界面にＮｉシリサイドが形成される。
【００４２】
このとき、Ｎｉシリサイド上にもＮｉを主とする層が形成される。この層は、電気的特性において好ましくなく、よって当該層は硝酸を用いたボイル処理により取除かれる。
【００４３】
その後、硝酸ボイル処理を施した半導体ウェハに対し洗浄処理を施した後、Ｎｉを用いたメッキ液に所定の時間浸漬し２次メッキを施す。これにより、Ｎｉメッキが完成する。
【００４４】
本実験では、前記した硝酸ボイル処理後の半導体ウェハに形成されるＮｉシリサイドの層厚寸法を測定した。測定結果は所定の閾値と比較され、当該閾値以上の層厚寸法を有する場合には良好なシリサイドが形成されていると判断した。
【００４５】
前記したようにして求めたＮｉシリサイドの生成状態と光強度との関係が図４に纏められている。図４における表は、横軸に各検体が示されており、縦軸にはその検体（各半導体ウェハ）における反射光の光強度が示されている。また、各検体におけるシリサイドの良否判定も検体毎に「○」「×」で表記されている。
【００４６】
図４の実験結果から明らかなように、検体１および検体２の半導体ウェハはＮｉシリサイドを良好に形成し得るものであり、それらにおける光強度測定装置による光強度の測定値は、検体１が０．５ｍＷ／ｃｍ２であり検体２が０．５ｍＷ／ｃｍ２である。従って良好にＮｉシリサイドを形成し得る半導体ウェハの反射光の光強度は、何れも０．６ｍＷ／ｃｍ２以下であることが確認された。尚、この閾値は、前記した実験を複数回繰返して得た値である。
【００４７】
ところで、検体３の半導体ウェハにおいては光強度測定装置による測定結果は０．７５ｍＷ／ｃｍであり、検体４の半導体ウェハにおいては光強度が１．１ｍＷ／ｃｍ２であった。また、検体３および検体４の何れの半導体ウェハも良好なシリサイドを形成することができなかった。すなわち、Ｎｉメッキの層厚寸法において、その値は所定の閾値よりも低い値であった。
【００４８】
ところで、前記した実験では、製造会社の異なる半導体ウェハを検体として実験を行う例で説明を行ったが、例えば任意の会社の半導体ウェハの表面を例えば水酸化カリウム（ＫＯＨ）を用いてエッチングを施した場合、すなわち半導体ウェハの表面形状をアルミナを用いたブラスト処理を施したように擬似的に荒らすべく、ＫＯＨの濃度やエッチング時間を制御して様々な状態に化学的に荒らした場合であっても、その反射光の光強度が閾値以上である場合には、所望の層厚のＮｉシリサイドを形成し得る半導体ウェハであることが確認されている。
【００４９】
以上より、本発明の半導体基板の検査方法によれば、電極形成のためのＮｉシリサイドの形成に先立ち、予め半導体基板の良否を検査することができる。
【実施例２】
【００５０】
次に、本発明の半導体基板の検査方法を用いた半導体ウェハの検査装置を説明する。
本発明の半導体ウェハの検査装置１０は、図５に示す一点鎖線で囲まれた構成であり、具体的には照射部１と、測定部２と、表示入力部３と、制御部４と、記憶部５とを備える。
【００５１】
照射部１は、前記した照明装置としての機能を有しし、照射光の光強度を検体（半導体ウェハ）のサイズや組成種類等に応じた制御を制御部４からの指示に基づいて行う。
【００５２】
測定部２は、前記した光強度測定装置としての機能を有し、測定環境、検体のサイズおよび組成種類等に応じた制御（補正制御）を制御部４からの指示に基づいて行う。尚、測定部２の計測値は、制御部４へ送られる。
【００５３】
制御部４は、予め記憶されているプログラムに基づいて制御を行う。具体的には、制御部４は、該制御部４に接続された各構成の統括制御を行うと共に、測定部２からの測定結果に基づいて半導体ウェハの良否判定を行う。この判定は、制御部４に備えた判定部６によって行われる。
【００５４】
判定部６は、検査対象の半導体ウェハが良好なＮｉシリサイドを形成し得る半導体ウェハであるか否か判定すべく、測定部２から取得する測定値と記憶部５に記憶されている閾値とを比較し、その結果を表示入力部３へ出力する。
【００５５】
表示入力部３はモニタ、キーボードおよびスピーカーなどのヒューマンインタフェースであり、これらによって判定部６の判定結果をオペレータは視覚や聴覚等で確認することができる。また、表示入力部３は、オペレータが記憶部５へ閾値を記憶させるために行う入力や、オペレータが記憶部５へ照射部１および測定部２の制御のための設定値などを記憶させるために行う入力などにも用いられている。
【００５６】
記憶部５は、判定部６で用いる閾値や照射部１や測定部２を制御するための設定値などを保持している。
【００５７】
次に、本発明の半導体ウェハの検査装置１０の動作を説明する。
先ず、検査に先立ち閾値や設定値などをオペレータが入力する。この入力は、表示入力部３を用いて行われ、入力値は制御部４を解して記憶部５で保持される。
【００５８】
次に、検査対象の半導体ウェハを検査ステージ（図５において省略）に載置する。半導体ウェハの載置を確認した制御部４は、記憶部５に記憶されている設定値を読出し、読出した設定値に基づいて照射部１を制御する。
【００５９】
照射部１は、制御部４からの制御により載置台に載置された半導体ウェハに対し光を照射する。
【００６０】
その後、制御部４は、記憶部５に記憶されている設定値を読出し、読出した設定値に基づいて測定部２に半導体ウェハの反射光の光強度を測定させる制御を行う。
【００６１】
測定部２は、制御部４からの制御により光強度を測定すると、その測定結果を制御部４へ出力する。
【００６２】
測定部２からの測定結果を受けた制御部４は、判定部６において半導体ウェハの良否判定を行う。具体的には、判定部６は記憶部５に記憶されている閾値と、測定部２からの測定値とを比較し、測定値が閾値以下であるとき、良好なＮｉシリサイドを形成し得る半導体ウェハであると判定し、その結果を表示入力部３へ出力する。
【００６３】
一方、判定部６は、測定値が閾値より大きいとき、良好なＮｉシリサイドを形成し得ない半導体ウェハであると判定し、その結果を表示入力部３へ出力する。
【００６４】
判定結果を受けた表示入力部３は、その結果を画面表示し、必要に応じて判定結果を音声案内する。
【００６５】
以上のように、本発明の半導体ウェハの検査装置によれば、半導体ウェハに対し光を照射してその反射光の光強度の測定値と予め保持する閾値とを比較し、半導体基板の良否判定を行う。これにより、判定結果で電極形成のためのＮｉシリサイドを良好に形成し得る半導体ウェハと判断された半導体ウェハのみを用いて半導体素子を形成することができ、結果的に良好な電極を備えた半導体素子を良好な歩留まりで製造することができる。
【実施例３】
【００６６】
次に、本発明の半導体ウェハの選別システムを説明する。
本発明の検査システム１００は、図５の破線で囲まれた構成であり、具体的には図２で説明した検査装置１０の構成に選別部１０１が追加されている。
【００６７】
ところで選別部１０１以外の構成については、前記した実施例２と同様であることから、以降の説明では、選別部１０１とその制御を行う制御部４に限って説明を行う。
【００６８】
選別部１０１は、制御部４からの制御指示に基づいて半導体ウェハの選別制御を行う。制御部４からの制御指示は、当該制御部４の判定部６における判定結果に基づくものであり、該判定部６において良好なＮｉシリサイドを形成し得ると判定された半導体ウェハのみを選別するよう制御指示する。
【００６９】
これにより、良好なＮｉシリサイドを形成し得ると判定された半導体ウェハのみが選別されて、半導体素子形成のための処理工程へ送られる。
【００７０】
以上説明したように、本発明の半導体ウェハの判定システムによれば、電極形成のためのＮｉシリサイドの形成に先立ち、予め半導体ウェハの良否を検査することができると共に、検査結果に基づいて人的に半導体ウェハを選別する必要がなく、人的作業を抑えて人件費の低減による製造コスト低減を図ることができる。
【００７１】
前記した実施例では、電極形成のためのＮｉシリサイドが良好に形成され得る半導体ウェハであるか否かを判断する例で説明を行ったが、本発明はＮｉシリサイドに限定する必要は無く、例えばチタンやアルミなどのシリサイドの形成を予め判断する場合にも適用することができ、この場合に形成するシリサイドの種類に応じて閾値を適宜設定することは言うまでもない。
【００７２】
前記した実施例では、検体である半導体ウェハに対し６０度の投受光角を有する例で説明を行ったが、本発明はこれに限定する必要はなく、適宜その角度や離間距離を変更してもよい。また、投受光角の変更に応じて良否判定のための閾値も適宜変更することが好ましい。
【図面の簡単な説明】
【００７３】
【図１】本発明の半導体基板の検査方法を示すフローチャートである。
【図２】本発明の半導体基板の検査方法の模式図である。
【図３】本発明の半導体基板の検査方法のために用意した検体の表面写真と面粗さ計によって得た測定結果とを示す図である。
【図４】本発明の半導体基板の検査方法のために用意した検体の反射光の光強度と、それらの検体における良否判定結果とを示すグラフである。
【図５】本発明の半導体基板の検査装置および半導体基板の検査システムの機能ブロック図である。
【符号の説明】
【００７４】
１  照射部
２  測定部
３  表示入力部
４  制御部
５  記憶部
６  判定部
１０  検査装置
１００  検査システム
１０１  選別部
【図１】
2010034251.tif 000003
【図２】
2010034251.tif 000004
【図４】
2010034251.tif 000005
【図５】
2010034251.tif 000006
【図３】
2010034251.tif 000007